(57)【要約】【課題】ランドセルの主収納部内の大きさの調節が、小学生等の使用者にとっても非常に簡単で素早く行うことができ、しかもランドセルの使用中にその主収納部内の大きさが収納物の量と合致しなくなることもなく、ランドセルが揺れてもその収納物ががたついたり、傷んだりすることのないランドセル用仕切り具を提供する。【解決手段】ランドセルＲの主収納部１に納まる大きさとした押さえ板２の両側端に、元の角度に弾性復帰する折角部３を少なくとも一つ備えた前支持板４ａを、前記主収納部１の前壁１ａ方向に突出するようにして設け、さらに前記押さえ板２の両側端に、元の角度に弾性復帰する折角部３を少なくとも一つ備えた後支持板４ｂを、前記主収納部１の後壁１ｂ方向に突出するようにして設けたものとしている。【選択図】図１
2008259608.tif 000002
【特許請求の範囲】
【請求項１】
ランドセル（Ｒ）の主収納部（１）に納まる大きさとした押さえ板（２）の両側端に、元の角度に弾性復帰する折角部（３）を少なくとも一つ備えた前支持板（４ａ）を、前記主収納部（１）の前壁（１ａ）方向に突出するようにして設け、さらに前記押さえ板（２）の両側端に、元の角度に弾性復帰する折角部（３）を少なくとも一つ備えた後支持板（４ｂ）を、前記主収納部（１）の後壁（１ｂ）方向に突出するようにして設けたことを特徴とするランドセル用仕切り具。
【請求項２】
前記押さえ板（２）を二枚の紙板（２ａ）を重ね合わせたものとし、一方の紙板（２ａ）の両側端寄りを前壁（１ａ）側に折り返して、この折角部を第一折角部（３ａ）として前支持板（４ａ）に備えたものとし、もう一方の紙板（２ａ）の両側端寄りを後壁（１ｂ）側に折り返して、この折角部を第一折角部（３ａ）として後支持板（４ｂ）に備えたものとしたことを特徴とする請求項１記載のランドセル用仕切り具。
【請求項３】
前記第一折角部（３ａ）と反対方向に折り返した第二折角部（３ｂ）を前記支持板（４ａ、４ｂ）のそれぞれの略中央部に備えたことを特徴とする請求項２記載のランドセル用仕切り具。
【請求項４】
前記前支持板（４ａ）の前端が主収納部（１）の前壁（１ａ）に当接するようにすると共に、前記後支持板（４ｂ）の後端が主収納部（１）の後壁（１ｂ）に当接するようにしたことを特徴とする請求項１〜３のいずれかに記載のランドセル用仕切り具。
【発明の詳細な説明】
【技術分野】
【０００１】
この発明は、ランドセルの主収納部内、いわゆる大マチ部内に入れて使用される仕切り具に関するものである。
【背景技術】
【０００２】
従来のランドセルは、主収納部内に教科書やノート等の収納物を収納して、小学生等の使用者が背中に背負って、歩いたり走ったりすると、その収納物が主収納部内に固定されていないため、主収納部内でがたついたり、その収納物が主収納部を構成する壁等に当たって傷んだりすることがあった。特に、収納物の量がすくない場合には、主収納部内での動きが大きくてがたつきが激しく、その収納物が傷んだりすることが多かった。
【０００３】
そのため、従来のランドセルには、例えば図７、８に示したように、主収納部１１内に、主収納部１１の一面を構成する背壁１２ａに対向するように配され、かつ前記背壁１２ａとの間隔を調節可能とした押さえ板１３を取り付け、この押さえ板１３と前記背壁１２ａとの間に収納物１４を挟んで保持できるようにしたものが存在する。前記背壁１２ａの両端に接する側壁１２ｂおよび側壁１２ｃと、前記押さえ板１３の両側端とには、取り付け手段１５を設けている。この取り付け手段１５は、前記側壁１２ｂおよび側壁１２ｃの内側に配設した鉄板１５ａと、前記押さえ板１３の両側端に取り付けた磁気金具１５ｂとからなるものとしており、磁気金具１５ｂを鉄板１５ａの適宜の位置に引っ付けることにより、押さえ板１３と背壁１２ａとの間に適宜間隔をおいて保持できるようにしている（特許文献１）。
【０００４】
このようにした従来のランドセルは、図７に示したように、押さえ板１３と背壁１２ａとの間に収納物１４を挟んで保持できるので、ランドセルが揺れても収納物１４ががたついたり、傷んだりしないとしている。
【０００５】
また、従来のランドセルには、例えば図９、１０に示したように、主収納部２１内の底部付近に一端を固定し、かつ他端側に係合具２２を有する押さえベルト２３を備えると共に、主収納部２１の背壁２５側の開口部付近に前記係合具２２と係合する被係合具２４とを備え、前記押さえベルト２３と背壁２５との間に収納物２６を保持できるようにしたものが存在する。前記係合具２２は、押さえベルト２３の長さ方向に沿ってスライド可能且つ適宜位置に固定可能にしたものとしている（特許文献２）。
【０００６】
このようにした従来のランドセルは、図１０に示したように、押さえベルト２３と背壁２５との間に収納物２６を挟んで保持できるので、ランドセルが揺れても収納物２６ががたついたり、傷んだりしないとしている。
【特許文献１】特開平１１−１０３９１９号公報（第２頁、図２、図４）
【特許文献２】特開平１１−１０３９２０号公報（第２頁、図１、図２）
【発明の開示】
【発明が解決しようとする課題】
【０００７】
しかしながら、図７、８に示したような従来のランドセルでは、磁気金具１５ｂを鉄板１５ａの適宜の位置に引っ付けることにより、押さえ板１３と背壁１２ａとの間に適宜間隔をおいて保持できるようにしているため、その押さえ板１３と背壁１２ａとの間の調節を行うのが、小学生等の使用者には難しく、しかも面倒であるという問題点を有していた。また、そのため、この従来のランドセルでは、押さえ板１３と背壁１２ａとの間の調節が大雑把で、押さえ板１３と背壁１２ａとの間が収納物１４の量と丁度合致していないと、ランドセルが揺れるとその収納物１４ががたついたり、傷んだりすることがあるという問題点を有していた。しかも、この従来のランドセルでは、取り付け手段１５の磁気金具１５ｂと鉄板１５ａとは磁力によって引っ付けられているので、何らかの力が作用すると磁気金具１５ｂと鉄板１５ａの位置がずれて、押さえ板１３と背壁１２ａとの間が収納物１４の量と丁度合致しなくなり、ランドセルが揺れるとその収納物１４ががたついたり、傷んだりすることがあるという問題点を有していた。
【０００８】
さらに、図９、１０に示したような従来のランドセルでは、押さえベルト２３の係合具２２の位置を調節することにより、この押さえベルト２３と背壁２５との間の収納物２６を丁度挟み込み保持するようにしているので、その押さえベルト２３の係合具２２の位置を調節するのが、小学生等の使用者には難しく、しかも面倒であるという問題点を有していた。また、そのため、この従来のランドセルでは、前記係合具２２の位置の調節が大雑把で、押さえベルト２３と背壁２５との間が、収納物２６の量と丁度合致していないと、ランドセルが揺れるとその収納物２６ががたついたり、傷んだりすることがあるという問題点を有していた。
【０００９】
そこで、この発明は、上記従来の問題点を解決するものであり、ランドセルの主収納部内の大きさの調節が、小学生等の使用者にとっても非常に簡単で素早く行うことができ、しかもランドセルの使用中にその主収納部内の大きさが収納物の量と合致しなくなることもなく、ランドセルが揺れてもその収納物ががたついたり、傷んだりすることのないランドセル用仕切り具を提供することを目的としてなされたものである。
【課題を解決するための手段】
【００１０】
この発明のランドセル用仕切り具は、ランドセルＲの主収納部１に納まる大きさとした押さえ板２の両側端に、元の角度に弾性復帰する折角部３を少なくとも一つ備えた前支持板４ａを、前記主収納部１の前壁１ａ方向に突出するようにして設け、さらに前記押さえ板２の両側端に、元の角度に弾性復帰する折角部３を少なくとも一つ備えた後支持板４ｂを、前記主収納部１の後壁１ｂ方向に突出するようにして設けたものとしている。
【００１１】
さらに、この発明のランドセル用仕切り具は、前記押さえ板２を二枚の紙板２ａを重ね合わせたものとし、一方の紙板２ａの両側端寄りを前壁１ａ側に折り返して、この折角部を第一折角部３ａとして前支持板４ａに備えたものとし、もう一方の紙板２ａの両側端寄りを後壁１ｂ側に折り返して、この折角部を第一折角部３ａとして後支持板４ｂに備えたものとしている。
【００１２】
また、この発明のランドセル用仕切り具は、前記第一折角部３ａと反対方向に折り返した第二折角部３ｂを前記支持板４ａ、４ｂのそれぞれの略中央部に備えたものとしている。
【００１３】
さらに、この発明のランドセル用仕切り具は、前記前支持板４ａの前端が主収納部１の前壁１ａに当接するようにすると共に、前記後支持板４ｂの後端が主収納部１の後壁１ｂに当接するようにしている。
【発明の効果】
【００１４】
この発明のランドセル用仕切り具は、以上に述べたように構成されているので、ランドセルの主収納部内の大きさの調節が、小学生等の使用者にとっても非常に簡単で素早く行うことができ、しかもランドセルの使用中にその主収納部内の大きさが収納物の量と合致しなくなることもなく、ランドセルが揺れてもその収納物ががたついたり、傷んだりすることがないものとなる。
【発明を実施するための最良の形態】
【００１５】
以下、この発明のランドセル用仕切り具の実施の形態を、図面に基づいて詳細に説明する。
【００１６】
この発明のランドセル用仕切り具は、図１に示したように、ランドセルＲの主収納部１に納まる大きさ、好ましくはこの主収納部１に丁度納まる程度の横幅と高さを有する大きさとした押さえ板２の両側端に、元の角度に弾性復帰する折角部３を少なくとも一つ備えた前支持板４ａを、前記主収納部１の前壁１ａ方向に突出するようにして設けたものとしている。さらに、前記押さえ板２の両側端に、元の角度に弾性復帰する折角部３を少なくとも一つ備えた後支持板４ｂを、前記主収納部１の後壁１ｂ方向に突出するようにして設けたものとしている。図示したものは、前記押さえ板２を二枚の紙板２ａを重ね合わせたものとし、一方の紙板２ａの両側端寄りを前壁１ａ側に適宜角度（図示したものでは約９０°）折り返して、この折角部を第一折角部３ａとして前支持板４ａに備えたものとし、もう一方の紙板２ａの両側端寄りを後壁１ｂ側に適宜角度（図示したものでは約９０°）折り返して、この折角部を第一折角部３ａとして後支持板４ｂに備えたものとしている。なお、前記押さえ板２は、一枚物としてもよく、また前記押さえ板２と支持板４ａ、４ｂは、別体としたものを繋ぎ合わせてもよく、さらに一体成形したものとすることもできる。
【００１７】
前記押さえ板２は、紙板のほか、合成樹脂板等からなるものとしており、高さを通常のランドセルＲの主収納部１の高さ２６〜３０ｃｍ程度よりも少し小さく、横幅を通常のランドセルＲの主収納部１の横幅２０〜２４ｃｍ程度よりも少し小さくした略長方形状にしている。
【００１８】
前記支持板４ａ、４ｂは、紙板のほか、合成樹脂板等からなるものとしており、折角部３を前記第一折角部３ａのほか、この第一折角部３ａと反対方向に適宜角度（図示したものでは約９０°）折り返した第二折角部３ｂをそれぞれの支持板４ａ、４ｂの略中央部に備えたものとしている。そして、前記支持板４ａ、４ｂは、高さを通常のランドセルＲの主収納部１の高さ２６〜３０ｃｍ程度よりも少し小さくしており、主収納部１の前壁１ａ方向に突出した前支持板４ａの前端がこの前壁１ａに当接するようにすると共に、主収納部１の後壁１ｂ方向に突出した後支持板４ｂの後端がこの後壁１ｂに当接するようにしている。なお、前後支持板４ａ、４ｂは、奥行きを略同一の寸法としているが、異なる寸法としてもよいのはいうまでもない。
【００１９】
以上のように構成したこの発明のランドセル用仕切り具は、使用するときには、図２に示したように、前支持板４ａの前端がランドセルＲの主収納部１の前壁１ａに当接すると共に、後支持板４ｂの後端がランドセルＲの主収納部１の後壁１ｂに当接するようにし、押さえ板２がランドセルＲの主収納部１の略中央に位置するようにして、ランドセルＲの主収納部１に入れる。すると、前支持板４ａの第一折角部３ａおよび後支持板４ｂの第一折角部３ａが押し狭められるが、これら第一折角部３ａには元の角度に弾性復帰する力が働いているので、前後支持板４ａ、４ｂには前後壁１ａ、１ｂから弾力を付与された状態となる。
【００２０】
そこで、使用者が図２に示した状態の押さえ板２を手で少し後壁１ｂ側に押しやれば、主収納部１の前壁１ａ側に、教科書やノート等の収納物Ｗを収納することができ、使用者が押さえ板２から手を離すと、この押さえ板２が戻って、収納物Ｗが押さえ板２と前壁１ａとの間に挟まれ保持されることになる。
【００２１】
前記収納物Ｗの収納量が、主収納部１の容量の半分程度であれば、図３に示したように、前支持板４ａの第二折角部３ｂが広げられ、前支持板４ａの第一折角部３ａは元の角度に復帰し、後支持板４ｂの第二折角部３ｂが押し狭められる。すると、この押し狭められた第二折角部３ｂが元の角度に弾性復帰しようとする押圧力が前記収納物Ｗにかかり、この収納物Ｗは前壁１ａと押さえ板２との間に挟まれ保持されるので、ランドセルが揺れても収納物Ｗががたついたり、傷んだりしないものとなる。
【００２２】
さらに、前記収納物Ｗの収納量が、主収納部１の容量のほぼ満杯である場合は、図４に示したように、前支持板４ａの第二折角部３ｂが広げられ、前支持板４ａの前端が前壁１ａから離れ、前支持板４ａの第一折角部３ａは元の角度に復帰し、さらに後支持板４ｂの第二折角部３ｂが図３に示した状態より押し狭められ、しかも後支持板４ｂの第一折角部３ａも押し狭められる。すると、これら押し狭められた第一折角部３ａ、第二折角部３ｂの両方が元の角度に弾性復帰しようとする押圧力が前記収納物Ｗにかかり、この収納物Ｗは前壁１ａと押さえ板２との間に挟まれ保持されるので、ランドセルが揺れても収納物Ｗががたついたり、傷んだりしないものとなる。
【００２３】
次に、使用者が図２に示した状態の押さえ板２を手で少し前壁１ａ側に押しやれば、主収納部１の後壁１ｂ側に、教科書やノート等の収納物Ｗを収納することができ、使用者が押さえ板２から手を離すと、この押さえ板２が戻って、収納物Ｗが押さえ板２と後壁１ｂとの間に挟まれ保持されることになる。
【００２４】
前記収納物Ｗの収納量が、主収納部１の容量の半分程度であれば、図５に示したように、後支持板４ｂの第二折角部３ｂが広げられ、後支持板４ｂの第一折角部３ａは元の角度に復帰し、前支持板４ａの第二折角部３ｂが押し狭められる。すると、この押し狭められた第二折角部３ｂが元の角度に弾性復帰しようとする押圧力が前記収納物Ｗにかかり、この収納物Ｗは後壁１ｂと押さえ板２との間に挟まれ保持されるので、ランドセルが揺れても収納物Ｗががたついたり、傷んだりしないものとなる。
【００２５】
さらに、前記収納物Ｗの収納量が、主収納部１の容量のほぼ満杯である場合は、図６に示したように、後支持板４ｂの第二折角部３ｂが広げられ、後支持板４ｂの後端が後壁１ｂから離れ、後支持板４ｂの第一折角部３ａは元の角度に復帰し、さらに前支持板４ａの第二折角部３ｂが図５に示した状態より押し狭められ、しかも前支持板４ａの第一折角部３ａも押し狭められる。すると、これら押し狭められた第一折角部３ａ、第二折角部３ｂの両方が元の角度に弾性復帰しようとする押圧力が前記収納物Ｗにかかり、この収納物Ｗは後壁１ｂと押さえ板２との間に挟まれ保持されるので、ランドセルが揺れても収納物Ｗががたついたり、傷んだりしないものとなる。
【図面の簡単な説明】
【００２６】
【図１】この発明のランドセル用仕切り具の一実施形態を示す斜視図である。
【図２】この発明のランドセル用仕切り具をランドセルの主収納部に収納した状態を示す平面図である。
【図３】この発明のランドセル用仕切り具を使用して、ランドセルの主収納部の前側から、主収納部の容量の半分程度の収納物を収納した状態を示す説明図である。
【図４】この発明のランドセル用仕切り具を使用して、ランドセルの主収納部の前側からほぼ満杯の収納物を収納した状態を示す説明図である。
【図５】この発明のランドセル用仕切り具を使用して、ランドセルの主収納部の後側から、主収納部の容量の半分程度の収納物を収納した状態を示す説明図である。
【図６】この発明のランドセル用仕切り具を使用して、ランドセルの主収納部の後側からほぼ満杯の収納物を収納した状態を示す説明図である。
【図７】従来のランドセルに用いられている仕切り具の使用状態を示す説明図である。
【図８】従来のランドセルに用いられている仕切り具の押さえ板の斜視図である。
【図９】従来のランドセルに用いられている押さえベルトの一例を示す斜視図である。
【図１０】従来のランドセルに用いられている押さえベルトの使用状態を示す説明図である。
【符号の説明】
【００２７】
１  主収納部
１ａ  前壁
１ｂ  後壁
２  押さえ板
３  折角部
３ａ  第一折角部
３ｂ  第二折角部
４ａ  前支持板
４ｂ  後支持板
Ｒ  ランドセル
【図１】
2008259608.tif 000003
【図２】
2008259608.tif 000004
【図３】
2008259608.tif 000005
【図４】
2008259608.tif 000006
【図５】
2008259608.tif 000007
【図６】
2008259608.tif 000008
【図７】
2008259608.tif 000009
【図８】
2008259608.tif 000010
【図９】
2008259608.tif 000011
【図１０】
2008259608.tif 000012